(57)【要約】【課題】拡大画面を適切なタイミングで表示させるデジタルカメラを提供する。【解決手段】Ｓ１では、操作部１０６のシャッターボタンの半押し操作を検知し、Ｓ２では、この検知に応じてオートフォーカスフレームＡＦの示す撮影位置の被写体にフォーカスロック（即ち焦点のロック）する。Ｓ３では、水中判定部１２３は、水圧センサ１２１の値を検知し、この値に基づいて現在デジタルカメラ１０が水中にあるか否かを判断する。水中にある場合はＳ４に移行し、オートフォーカスフレームＡＦが囲む被写体の一部の領域であるフォーカス領域Ｒを拡大した画像である拡大画像Ｍをスルー画像と合成してモニタ３０に拡大表示する。【選択図】  図２
2005328225.tif 000002
【特許請求の範囲】
【請求項１】
シャッターボタンの半押し時にオートフォーカス調節を行うとともに、前記シャッターボタンの半押し状態が維持されると前記オートフォーカス調節した焦点をロックするデジタルカメラにおいて、
被写体画像を表示する表示手段と、
撮影環境が水中であることを検知する検知手段と、
前記シャッターボタンの半押し状態の維持と前記検知とに応じて前記ロックされた焦点を中心とする所定の大きさのフレームに囲まれた被写体画像の一部であるフォーカス領域を拡大表示させる表示制御手段と、
を備えるデジタルカメラ。
【請求項２】
前記表示制御手段は焦点のロックされた被写体までの距離を表示させる請求項１に記載のデジタルカメラ。
【請求項３】
前記表示制御手段は撮影環境が水中であることが検知されなくなったことに応じて前記拡大表示を終了させる請求項１又は２に記載のデジタルカメラ。
【請求項４】
前記表示制御手段は前記半押し状態が解除されたことに応じて前記拡大表示を終了させる請求項１又は２に記載のデジタルカメラ。
【請求項５】
前記フレームの移動を受け付ける移動手段をさらに備え、
前記表示制御手段は前記フォーカス領域を前記表示手段の中央部に拡大表示させる請求項１〜４のいずれかに記載のデジタルカメラ。
【発明の詳細な説明】
【技術分野】
【０００１】
本発明はデジタルカメラに係り、特に水中撮影に使用されるデジタルカメラに関する。
【背景技術】
【０００２】
従来、水中で使用されるデジタルカメラにおいて、ピント合わせ確認を容易にする技術が様々考案されている。例えば、特許文献１によると、撮像素子で撮像した画像のコントラストをピント判定回路で判定して、ピント合わせポイントを決定する。このピント合わせポイント内の被写体周辺の画像はＬＣＤに拡大表示される。
【特許文献１】特開２００３−２３４９４０号公報、段落００１６
【発明の開示】
【発明が解決しようとする課題】
【０００３】
ところで、特許文献１では、拡大画面の表示方式として、専用の表示切替スイッチをＯＮ操作した場合に拡大画面に切り替える構成、所定時間毎に表示を切り替える構成、メイン画面と拡大画面とを１つのＬＣＤ上に同時に表示する構成を開示している。しかし、専用のスイッチを設けるにはデジタルカメラの製造コストアップにつながるおそれがある。また、所定時間毎に表示を切り替える構成では、拡大画像を見たいタイミングと拡大画像が表示されるタイミングとが一致しない可能性があり不都合である。さらに、メイン画面と拡大画面とを同時に表示する構成では、メイン画面のみを見たいタイミングで拡大画像が表示されるという不都合が生じる可能性がある。本発明はこのような問題点に鑑みてなされたもので、拡大画面を適切なタイミングで表示させるデジタルカメラを提供することを目的とする。
【課題を解決するための手段】
【０００４】
上述の課題を解決するため、請求項１に係る発明は、シャッターボタンの半押し時にオートフォーカス調節を行うとともに、前記シャッターボタンの半押し状態が維持されると前記オートフォーカス調節した焦点をロックするデジタルカメラにおいて、被写体画像を表示する表示手段と、撮影環境が水中であることを検知する検知手段と、前記シャッターボタンの半押し状態の維持と前記検知とに応じて前記ロックされた焦点を中心とする所定の大きさのフレームに囲まれた被写体画像の一部であるフォーカス領域を拡大表示させる表示制御手段と、を備えるデジタルカメラを提供する。
【０００５】
この発明によると、シャッターボタンの半押し状態と撮影環境が水中であることの検知とに応じてフォーカス領域が拡大表示される。即ち、従来と異なり、特殊なボタンを設けることなく、また適切なタイミングで焦点のロックされた被写体画像の一部を拡大表示できる。
【０００６】
請求項２に係る発明は、前記表示制御手段は焦点のロックされた被写体までの距離を表示させる請求項１に記載のデジタルカメラを提供する。
【０００７】
請求項３に係る発明は、前記表示制御手段は撮影環境が水中であることが検知されなくなったことに応じて前記拡大表示を終了させる請求項１又は２に記載のデジタルカメラを提供する。
【０００８】
この発明によると、デジタルカメラの操作の容易な陸上で不必要な拡大表示がなされて被写体画像の表示が妨げられることを防止できる。
【０００９】
請求項４に係る発明は、前記表示制御手段は前記半押し状態が解除されたことに応じて前記拡大表示を終了させる請求項１又は２に記載のデジタルカメラを提供する。
【００１０】
この発明によると、シャッターボタンの半押し解除で被写体の焦点ロックが解除されても依然として拡大画像が表示されて被写体画像の表示が妨げられることを防止できる。
【００１１】
請求項５に係る発明は、前記フレームの移動を受け付ける移動手段をさらに備え、前記表示制御手段は前記フォーカス領域を前記表示手段の中央部に拡大表示させる請求項１〜４のいずれかに記載のデジタルカメラを提供する。
【００１２】
この発明によると、フレームの移動位置に関わらずフォーカス領域を中央部に拡大表示させることで拡大画像が表示装置からはみ出て表示されなくなることを防止できる。
【発明の効果】
【００１３】
この発明によると、シャッターボタンの半押し状態と撮影環境が水中であることの検知とに応じてフォーカス領域が拡大表示される。即ち、従来と異なり、特殊なボタンを設けることなく、また適切なタイミングで焦点のロックされた被写体画像の一部を拡大表示できる。
【発明を実施するための最良の形態】
【００１４】
以下、添付した図面を参照し本発明の好ましい実施の形態を説明する。
【００１５】
［概略構成］
図１は、本発明の好ましい実施形態に係るデジタルカメラ１０の内部の概略構成を示すブロック図である。同図において、ＣＰＵ１００は、本カメラシステムの各回路を統括制御する制御部であり、ＲＯＭ１０２及びＲＡＭ１０４等の記憶手段を備えている。ＲＯＭ１０２には、ＣＰＵ１００が処理するプログラム及び制御に必要な各種データ等が格納され、ＲＡＭ１０４は、ＣＰＵ１００が各種の演算処理等を行う際の作業用エリアとして利用される。ＲＯＭ１０２はデータの消去／書き込みが可能なフラッシュＲＯＭで構成される。ＣＰＵ１００は、レリーズボタン、電源ボタン、ストロボボタン、マクロボタン、ズームレバー、表示ボタン、ＢＡＣＫボタン、マークボタン、メニュー／ＯＫボタン、十字ボタン、モードスイッチ等からなる操作部１０６から出力された操作信号に基づき対応する回路の動作を制御し、レンズ駆動制御、撮影動作制御、画像処理制御、画像データの記録／再生制御、モニタ３０の表示制御などを行うとともに、自動露出（ＡＥ）演算、自動焦点調節（ＡＦ）演算、ホワイトバランス（ＷＢ）調整演算などの各種演算処理を実行する。
【００１６】
レンズ１４を通過した光は、ＣＣＤイメージセンサ（ＣＣＤ）１０８に入射する。ＣＣＤ１０８の受光面には、フォトセンサが平面的に配列されており、レンズ１４を介してＣＣＤ１０８の受光面に結像された被写体の光学像は、各フォトセンサによって入射光量に応じた量の信号電荷に変換される。各フォトセンサに蓄積された信号電荷は、図示しないタイミングジェネレータから与えられる駆動パルスに基づいて信号電荷に応じた電圧信号（画像信号）として順次読み出され、アナログ信号処理部１１０に送られる。
【００１７】
アナログ信号処理部１１０は、サンプリングホールド回路、色分離回路、ゲイン調整回路、Ａ／Ｄ変換器等の信号処理回路を含み、このアナログ信号処理部１１０で入力された画像信号が、相関二重サンプリング処理並びにＲ、Ｇ、Ｂの各色信号に色分離処理され、各色信号の信号レベルの調整（プリホワイトバランス処理）が行われる。そして、デジタルの画像信号に変換されてＲＡＭ１０４に格納される。
【００１８】
ＲＡＭ１０４に格納された画像信号は、画像信号処理部１１２に送られる。画像信号処理部１１２は、輝度・色差信号生成回路、ガンマ補正回路、シャープネス補正回路、コントラスト補正回路、ホワイトバランス補正回路等を含むデジタルシグナルプロセッサ（ＤＳＰ）で構成され、ＣＰＵ１００からのコマンドに従って入力された画像信号を処理する。この画像信号処理部１１２に入力された画像信号は、輝度信号（Ｙ信号）及び色差信号（Ｃr,Ｃb 信号）に変換されるとともに、ガンマ補正等の所定の処理が施された後、ＲＡＭ１０４に格納される。ＲＡＭ１０４に格納された画像データは、表示部１１４に入力される。表示部１１４は入力された画像データを表示用の所定方式の信号（例えば、ＮＴＳＣ方式のカラー複合映像信号）に変換してモニタ３０に出力する。
【００１９】
ＣＣＤ１０８から出力される画像信号によってＲＡＭ１０４内の画像データが定期的に書き換えられ、その画像データから生成される映像信号がモニタ３０に供給されることにより、ＣＣＤ１０８を介して入力される画像がリアルタイムにモニタ３０に表示される。撮影者は、このモニタ３０に映し出される画像（スルー画像）によって撮影画角を確認することができる。
【００２０】
なお、表示部１１４は、ＯＳＤ信号発生回路を含み、ＯＳＤ信号発生回路はＣＰＵ１００からのコマンドに従ってシャッタ速度や絞り値、撮影可能枚数、撮影日時、警告メッセージ等の文字及び記号情報を表示するための信号を発生させる。このＯＳＤ信号発生回路から出力される信号は、必要に応じて画像信号に混合されて、モニタ３０に供給される。これにより、スルー画像や再生画像に文字等が合成された合成画像が表示される。
【００２１】
モードスイッチにてカメラのモードが撮影モードに設定されると、デジタルカメラ１０は撮影が可能になる。この状態でレリーズボタンが半押しされると、ＣＰＵ１００にＳ１ＯＮ信号が発せられる。ＣＰＵ１００は、このＳ１ＯＮ信号を検知して、ＡＥ、ＡＦ動作を実行する。すなわち、ＣＰＵ１００は、被写体にピントが合うように、図示しないレンズ駆動部を制御するとともに、被写体の明るさを測定し、適正露出となるように絞り値とシャッタ速度を決定する。
【００２２】
この後、レリーズボタンが全押しされると、ＣＰＵ１００にＳ２ＯＮ信号が発せられ、ＣＰＵ１００は、このＳ２ＯＮ信号を検知して、記録動作を実行する。すなわち、レリーズボタンの半押し時に決定した絞り値、シャッタ速度となるように、図示しない絞り駆動部及びＣＣＤ１０８の電子シャッタを制御し、画像の取り込みを行なう。
【００２３】
こうしてレリーズボタンの全押し操作に応動して、記録用の画像データの取り込みが開始され、ＣＣＤ１０８から出力された１コマ分の画像信号が、アナログ信号処理部１１０を介してＲＡＭ１０４に取り込まれる。ＲＡＭ１０４に取り込まれた画像信号は、画像信号処理部１１２で所定の信号処理が施された後、再びＲＡＭ１０４に格納され、画像記録部１１６に送られる。
【００２４】
画像記録部１１６は、圧縮伸張処理回路を含み、圧縮伸張処理回路はＣＰＵ１００からのコマンドに従って入力された画像データをＪＰＥＧその他の所定の形式に従って圧縮する。圧縮された画像データは、メディアインターフェース（メディアＩ／Ｆ）１１８を介して所定フォーマットの画像ファイルとして記録メディア１２０に記録される。なお、記録メディア１２０としては、ｘＤピクチャーカード、スマートメディア、コンパクトフラッシュ、磁気ディスク、光ディスク、光磁気ディスク、メモリスティックなどのカメラボディに対して着脱可能なリムーバブルメディアの他、カメラボディに内蔵された記録メディア（内部メモリ）であってもよい。
【００２５】
モードスイッチにて再生モードが選択されると、記録メディア１２０に記録された画像の再生が可能になる。モードスイッチが再生モードに設定されると、記録メディア１２０に最後に記録された画像ファイルの画像データを読み出す。読み出された画像データは、画像記録部１１６にて所要の伸張処理が施されたのち、表示部１１４を介してモニタ３０に出力される。これにより、記録メディア１２０に記録された画像の閲覧が可能になる。
【００２６】
画像のコマ送りは、十字ボタンで行なわれ、十字ボタンの右キーが押されると、次の画像ファイルが記録メディア１２０から読み出され、モニタ３０に再生表示される。また、十字ボタンの左キーが押されると、前の画像ファイルが記録メディア１２０から読み出され、モニタ３０に再生表示される。
【００２７】
また、デジタルカメラ１０は、ホスト機器へのＵＳＢ接続をトリガとして、その動作モードを通信モードに移行する。通信モードとしては、パーソナルコンピュータ（ＰＣ）に接続されて、ＰＣからリムーバブルディスク（マスストレージデバイス）として認識させる「ＰＣモード」と、プリンタに接続されて、プリンタに対して記録メディア１２０に記録されている画像をプリントさせる「ダイレクトプリントモード」とを備えている。通信制御部１２２は、設定された通信モードの下で所定のコマンド形式に従ったデータの送受信を行なう。
【００２８】
デジタルカメラ本体１０は水中ハウジング１１に収納されることで防水され、水中での撮影が可能である。水中ハウジング１１には水圧センサ１２１が設けられており、水中ハウジング１１に加わる水圧を検知する。水中判定部１２３は、水圧センサ１２１の値を検知し、この値に基づいて現在デジタルカメラ１０が水中にあるか否かを判断する。一例として、水中判定部１２３は、水圧が１．２気圧を超えるとき、即ちデジタルカメラ１０が水深約２ｍの所にあるとき、水中にあると判断する。一方、水中判定部１２３は、水圧が１．２気圧以下であるとき、水中にない（即ち陸上にある）と判断する。なお、水圧センサ１２１の代わりに、デジタルカメラ１０が水中にあることを検出できる各種機器（冠水センサなど）を設けてもよい。
【００２９】
［デジタルカメラの実行する処理］
次に、図２のフローチャートに基づき、デジタルカメラ１０の実行する処理を説明する。この処理は、フォーカスロックされたときに撮影環境が水中である場合、ピント合わせされた被写体の一部を拡大表示する。
【００３０】
Ｓ１では、操作部１０６のシャッターボタンの半押し操作を検知し、Ｓ２では、この検知に応じてオートフォーカスフレームＡＦの示す撮影位置の被写体にフォーカスロック（即ち焦点のロック）する。図３（ａ）はフォーカスロックされた際のスルー画像及びオートフォーカスフレームＡＦの表示例を示している。この図では、被写体の一部分にオートフォーカスフレームＡＦの中心である焦点Ｆが位置する状態で半押し操作されており、オートフォーカスフレームＡＦが被写体の一部を囲んでいる。なお、オートフォーカスフレームＡＦのモニタ３０上の表示位置はモニタ３０の中心であってもよいし、十字ボタンで上下左右にスクロールさせることで任意の位置（例えば図３（ａ）のようにモニタ３０の中心よりもやや左上に移動した位置）に移動できるようにしてもよい。そして、この後でシャッターボタンを半押しすることで、移動したオートフォーカスフレームＡＦの示す撮影位置の被写体にフォーカスロックできるようにしてもよい。Ｓ３では、水圧センサ１２１が水中ハウジング１１に加わる水圧を検知する。水中判定部１２３は、水圧センサ１２１の値を検知し、この値に基づいて現在デジタルカメラ１０が水中にあるか否かを判断する。水中にある場合はＳ４に移行し、水中にない場合はこの処理を終了する。この処理の終了後は引き続きシャッターボタン全押しの検知を待機し、全押し検知に応じて画像を記録することができる。
【００３１】
Ｓ４では、オートフォーカスフレームＡＦが囲む被写体の一部の領域であるフォーカス領域Ｒを拡大した画像である拡大画像Ｍをスルー画像と合成してモニタ３０に拡大表示する。フォーカス領域Ｒの拡大表示は、例えば次のように行われる。即ち、図４に示すように、ＣＣＤ１０８を介して入力される画像からオートフォーカスフレームＡＦが囲む部分に相当する３２０×１２０画素の画像である拡大画像Ｍを切り出し、６４０×２４０画素のスルー画像に合成して表示する。図３（ｂ）は拡大画像Ｍの表示例を示す。拡大画像ＭはＣＣＤ１０８からの画像を切り出したものであるが、切り出したサイズがモニタ３０の最大表示サイズに収まるのであれば間引かずにスルー画像と合成することもできる。この場合、拡大画像Ｍには間引による画質劣化が生じないため、被写体の細部まで目視できる。拡大画像Ｍの表示位置は、拡大画像Ｍの一部又は全部がモニタ３０からはみ出して表示されないことを防ぐため、フォーカスロックされた際のオートフォーカスフレームＡＦの位置に関わらず、モニタ３０の中央部に表示することが好ましい。撮影位置の被写体にはなお、図３（ｃ）に示すように、フォーカスロックされた際の被写体までの距離を表示してもよい。被写体までの距離の算出は各種の方法が可能であり、例えばフォーカスロックされた際のフォーカスレンズの位置関係から算出してもよいし、あるいはデジタルカメラ１０で三角測距などの各種測距を行ってもよい。
【００３２】
Ｓ５では、操作部１０６のシャッターボタンの半押し解除操作が検知されたか否かを判断する。半押しが解除された場合はＳ７に移行し、半押しが解除されていない場合即ち半押しが維持されている場合はＳ６に移行する。Ｓ６では、水圧センサ１２１が水中ハウジング１１に加わる水圧を検知する。水中判定部１２３は、水圧センサ１２１の値を検知し、この値に基づいて現在デジタルカメラ１０が水中にあるか否かを判断する。水中にある場合はこの処理を終了し、水中にない場合即ち陸上にある場合はＳ７に移行する。Ｓ７では、拡大画像Ｍの合成表示を終了し、モニタ３０にはスルー画像のみが表示される。なお、上述の処理ステップＳ１〜７をＣＰＵ１００に実行させるプログラムはＲＯＭ１０２に記憶されている。
【００３３】
以上の処理により、水中撮影時は、オートフォーカスフレームＡＦが被写体画像を囲む部分であるフォーカス領域Ｒの拡大画像Ｍが表示されるため、フォーカス領域Ｒの細部を目視確認でき、フォーカスロックされた被写体のピントが合っているか否かを容易に判断できる。また、この際、被写体までの距離も表示されるため、被写体までの距離を把握できる。
【図面の簡単な説明】
【００３４】
【図１】本発明の好ましい実施形態に係るデジタルカメラのブロック構成図
【図２】デジタルカメラの実行する処理の流れを示すフローチャート
【図３】スルー画像及び拡大画像の表示例を示す図
【図４】拡大画像の概念説明図
【符号の説明】
【００３５】
１０：デジタルカメラ、１２１：水圧センサ、１２２：水中判定部
【図１】
2005328225.tif 000003
【図２】
2005328225.tif 000004
【図３】
2005328225.tif 000005
【図４】
2005328225.tif 000006